(57)【特許請求の範囲】
【請求項１】
起立する第１縦仕切板と、該第１縦仕切板に平行に起立する第２縦仕切板と、各縦仕切板に直交する方向に各縦仕切板に起立姿勢で組み付けられた上部横仕切板と、該上部横仕切板に所定間隔を存した下方位置において各縦仕切板に直交する方向に各縦仕切板に起立姿勢で組み付けられた下部横仕切板とを備え、
前記上部横仕切板は、第１縦仕切板に対応する位置の上縁から下方に延びる上部切込と、第２縦仕切板に対応する位置の下縁から上方に延びる下部切込とを備え、
前記下部横仕切板は、第１縦仕切板に対応する位置の下縁から上方に延びる下部切込と、第２縦仕切板に対応する位置の上縁から下方に延びる上部切込とを備え、
前記第１縦仕切板は、起立状態の前記上部横仕切板が挿通自在であって上端において該上部横仕切板の上部切込を係止する直線状の上部切込穴と、該上部切込穴に所定間隔を存して下方位置に形成され、起立状態の前記下部横仕切板が挿通自在であって下端において該下部横仕切板の下部切込を係止する直線状の下部切込穴とを備え、
前記第２縦仕切板は、その上縁から下方に延びて前記上部横仕切板の下部切込を係止する上部切込と、下縁から上方に延びて前記下部横仕切板の上部切込を係止する下部切込とを備えることを特徴とする仕切体。
【請求項２】
複数の前記上部横仕切板と複数の前記下部横仕切板との夫々が水平方向に所定間隔を存して平行に配列され、
前記第１縦仕切板には、各上部横仕切板の上部切込を係止する複数の上部切込穴と各下部横仕切板の下部切込を係止する複数の下部切込穴とが配設され、
前記第２縦仕切板には、各上部横仕切板の下部切込を係止する複数の上部切込と各下部横仕切板の上部切込を係止する複数の下部切込とが配設されていることを特徴とする請求項１記載の仕切体。
【請求項３】
起立する第１縦仕切板と、該第１縦仕切板に平行に起立する第２縦仕切板と、各縦仕切板に直交する方向に各縦仕切板に起立姿勢で組み付けられた上部横仕切板と、該上部横仕切板に所定間隔を存した下方位置において各縦仕切板に直交する方向に各縦仕切板に起立姿勢で組み付けられた下部横仕切板とを備え、
前記上部横仕切板は、第１縦仕切板に対応する位置の上縁から下方に延びる上部切込と、第２縦仕切板に対応する位置の下縁から上方に延びる下部切込とを備え、
前記下部横仕切板は、第１縦仕切板に対応する位置の上縁から下方に延びる上部切込と、第２縦仕切板に対応する位置の下縁から上方に延びる下部切込とを備え、
前記第１縦仕切板は、起立状態の前記上部横仕切板が挿通自在であって上端において該上部横仕切板の上部切込を係止する直線状の上部切込穴と、該上部切込穴に所定間隔を存して下方位置に形成され、下縁から上方に延びて前記下部横仕切板の上部切込を係止する下部切込とを備え、
前記第２縦仕切板は、上縁から下方に延びて前記上部横仕切板の下部切込を係止する上部切込と、該上部切込に所定間隔を存して下方位置に形成され、起立状態の前記下部横仕切板が挿通自在であって下端において該下部横仕切板の下部切込を係止する直線状の下部切込穴とを備えることを特徴とする仕切体。
【請求項４】
複数の前記上部横仕切板と複数の前記下部横仕切板との夫々が水平方向に所定間隔を存して平行に配列され、
前記第１縦仕切板には、各上部横仕切板の上部切込を係止する複数の上部切込穴と各下部横仕切板の上部切込を係止する複数の下部切込とが配設され、
前記第２縦仕切板には、各上部横仕切板の下部切込を係止する複数の上部切込と各下部横仕切板の下部切込を係止する複数の下部切込穴とが配設されていることを特徴とする請求項３記載の仕切体。
【請求項５】
起立する第１縦仕切板と、該第１縦仕切板に平行に起立する第２縦仕切板と、各縦仕切板に直交する方向に各縦仕切板に起立姿勢で組み付けられて水平方向に配列された複数の上部横仕切板と、各上部横仕切板に所定間隔を存した下方位置において各縦仕切板に直交する方向に各縦仕切板に起立姿勢で組み付けられて水平方向に配列された複数の下部横仕切板とを備え、
前記上部横仕切板は、第１縦仕切板に対応する位置の上縁から下方に延びる上部切込と、第２縦仕切板に対応する位置の下縁から上方に延びる下部切込とを備える第１上部横仕切板と、第１縦仕切板に対応する位置の下縁から上方に延びる下部切込と、第２縦仕切板に対応する位置の上縁から下方に延びる上部切込とを備える第２上部横仕切板とからなり、
前記下部横仕切板は、第１縦仕切板に対応する位置の下縁から上方に延びる下部切込と、第２縦仕切板に対応する位置の上縁から下方に延びる上部切込とを備える第１下部横仕切板と、第１縦仕切板に対応する位置の上縁から下方に延びる上部切込と、第２縦仕切板に対応する位置の下縁から上方に延びる下部切込とを備える第２下部横仕切板とからなり、
前記第１縦仕切板には、起立状態の前記第１上部横仕切板が挿通自在であって上端において該第１上部横仕切板の上部切込を係止する直線状の上部切込穴と、上縁から下方に延びて前記第２上部横仕切板の下部切込を係止する上部切込と、起立状態の前記第１下部横仕切板が挿通自在であって下端において該第１下部横仕切板の下部切込を係止する直線状の下部切込穴と、下縁から上方に延びて前記第２下部横仕切板の上部切込を係止する下部切込とが各横仕切板の配列に応じて配設され、
前記第２縦仕切板には、上縁から下方に延びて前記第１上部横仕切板の下部切込を係止する上部切込と、起立状態の前記第２上部横仕切板が挿通自在であって上端において該第２上部横仕切板の上部切込を係止する直線状の上部切込穴と、下縁から上方に延びて前記第１下部横仕切板の上部切込を係止する下部切込と、起立状態の前記第２下部横仕切板が挿通自在であって下端において該第２下部横仕切板の下部切込を係止する直線状の下部切込穴とが各横仕切板の配列に応じて配設されていることを特徴とする仕切体。
【請求項６】
複数の前記第１縦仕切板と複数の前記第２縦仕切板とが所定間隔を存して平行に配列され、
前記各横仕切板には、各縦仕切板の各切込及び各切込穴の位置に対応して上部切込と下部切込とが配設されていることを特徴とする請求項１乃至５の何れか１項記載の仕切体。
【請求項７】
前記上部切込穴の下端側には、該上部切込穴に連続して交差方向に延びる切込が形成されており、前記下部切込穴の上端側には、該下部切込穴に連続して交差方向に延びる切込が形成されており、縦仕切板同士を互いに当接する方向に積層状態に束ねた後に、各縦仕切板と各横仕切板との係合を維持して面方向に扁平に展開するとき、各横仕切板の一部が、上部切込穴の下端側の切込及び下部切込穴の上端側の切込に夫々介入することを特徴とする請求項１乃至６の何れか１項記載の仕切体。
【発明の詳細な説明】
【０００１】
【発明の属する技術分野】
本発明は、包装容器等の内部を複数に区画する仕切体に関する。
【０００２】
【従来の技術】
従来、複数の縦仕切板と複数の横仕切板とが共に起立した状態で互いに交差するように組み立てられ、それらの複数の縦仕切板と複数の横仕切板とによって包装容器等の内部を複数に区画する仕切体が知られている。この種の仕切体は、例えば、縦仕切板には、上縁から下方に延びる複数の上部切込が所定幅を存して形成されており、また、横仕切板には、前記縦仕切板の各上部切込に対応する位置に、その下縁から上方に延びる複数の下部切込が形成されている。前記縦仕切板の上部切込は、前記横仕切板の数に対応して形成されており、前記横仕切板の下部切込は、前記縦仕切板の数に対応して形成されている。そして、前記縦仕切板と前記横仕切板とは、前記上部切込と前記下部切込とが互いに係合された状態で組み立てられている。
【０００３】
しかし、この種の仕切体は、組み立てた状態では嵩張るために、組み立てられていない状態で、縦仕切板と横仕切板とを各別にして搬送や保管が行われ、仕切体として使用状態とする場合には、縦仕切板と横仕切板とを上部切込と下部切込とを係合させて組み立てるといった煩わしい作業が必要となる不都合があった。更に、この種の仕切体は、組み立て後には、前記縦仕切板の上部切込は、前記横仕切板の下部切込を上方から受け止めるように係合されているため、前記縦仕切板に対して前記横仕切板を上方に持ち上げたときに、縦仕切板と横仕切板との係合状態が互いに外れ易く、組立状態を維持することが困難となる不都合があった。
【０００４】
そこで、本出願人は先に、各仕切板同士の係合状態を確実に維持することができると共に、各仕切板が起立する使用状態から偏平状態に迅速に変形させることができる仕切体を提案した（実開平５−１０４１２５号公報参照）。
【０００５】
即ち、該仕切体の各縦仕切板は、その上縁から下方に延びる上部切込と、該縦仕切板の下縁から上方に延びる下部切込とを所定間隔を存して交互に備えている。互いに隣合う縦仕切板のうち一方の縦仕切板の上部切込及び下部切込は、夫々他方の縦仕切板の下部切込及び上部切込に対向する位置に設けられている。また、各横仕切板は、その上縁から下方に延びる上部切込と、該縦仕切板の下縁から上方に延びる下部切込とを所定間隔を存して交互に備えている。互いに隣合う横仕切板のうち一方の横仕切板の上部切込及び下部切込は、他方の横仕切板の下部切込及び上部切込に対向する位置に設けられている。そして、該仕切体は、前記縦仕切板の上部切込と前記横仕切板の下部切込とが互いに係合され、前記縦仕切板の下部切込と前記横仕切板の上部切込とが互いに係合されて組み立てられる。
【０００６】
こうすることによって、例えば、前記縦仕切板に対して前記横仕切板を上方に持ち上げても、縦仕切板と横仕切板とは係合状態が解除されることなく組み立て状態を維持することができる。しかも、前記縦仕切板と前記横仕切板とを上記のように組み立てたことにより、各仕切板の起立状態から偏平状態へ、或いは偏平状態から各仕切板の起立状態への変形を極めて容易に行なうことができる。
【０００７】
しかし、例えば、各仕切板の起立状態での高さ寸法が比較的高く、しかも、強度を得るために比較的曲げ難い合成樹脂製板材等によって各仕切板を形成した場合には、複数の縦仕切板と複数の横仕切板とを互いに係合させる作業が困難となる不都合がある。特に、前記縦仕切板の上部切込と前記横仕切板の下部切込とを互いに係合させ、当該係合部に隣接する位置において係合方向が逆方向とされる前記縦仕切板の下部切込と前記横仕切板の上部切込とを互いに係合させて仕切板を組み立てる作業は極めて困難である。
【０００８】
更に、各仕切板を比較的大型に形成する場合には、各仕切板を形成する板材の材料コストが増加するだけでなく、仕切体の重量も大となって仕切体の取り扱いも困難となる不都合がある。
【０００９】
【発明が解決しようとする課題】
かかる不都合を解消して、本発明は、材料コストや重量の増加を抑えて比較的大型の仕切体を形成することができ、しかも、組み立て作業が容易であると共に組み立て状態を確実に維持して容易に偏平状態にすることができる仕切体を提供することを目的とする。
【００１０】
【課題を解決するための手段】
かかる目的を達成するために、本発明における第１の態様の仕切体は、起立する第１縦仕切板と、該第１縦仕切板に平行に起立する第２縦仕切板と、各縦仕切板に直交する方向に各縦仕切板に起立姿勢で組み付けられた上部横仕切板と、該上部横仕切板に所定間隔を存した下方位置において各縦仕切板に直交する方向に各縦仕切板に起立姿勢で組み付けられた下部横仕切板とを備えている。そして、前記上部横仕切板は、第１縦仕切板に対応する位置の上縁から下方に延びる上部切込と、第２縦仕切板に対応する位置の下縁から上方に延びる下部切込とを備え、前記下部横仕切板は、第１縦仕切板に対応する位置の下縁から上方に延びる下部切込と、第２縦仕切板に対応する位置の上縁から下方に延びる上部切込とを備えている。更に、前記第１縦仕切板は、起立状態の前記上部横仕切板が挿通自在であって上端において該上部横仕切板の上部切込を係止する直線状の上部切込穴と、該上部切込穴に所定間隔を存して下方位置に形成され、起立状態の前記下部横仕切板が挿通自在であって下端において該下部横仕切板の下部切込を係止する直線状の下部切込穴とを備え、前記第２縦仕切板は、上縁から下方に延びて前記上部横仕切板の下部切込を係止する上部切込と、下縁から上方に延びて前記下部横仕切板の上部切込を係止する下部切込とを備えている。
【００１１】
前記第１縦仕切板と前記上部横仕切板とは、該上部横仕切板の上部切込が第１縦仕切板の上部切込穴に係止され、前記第２縦仕切板と前記上部横仕切板とは、該上部横仕切板の下部切込が第２縦仕切板の上部切込に係止される。同時に、前記第１縦仕切板と前記下部横仕切板とは、該下部横仕切板の下部切込が第１縦仕切板の下部切込穴に係止され、前記第２縦仕切板と前記下部横仕切板とは、該下部横仕切板の上部切込が第２縦仕切板の下部切込に係止される。このような係止状態によって、例えば、両縦仕切板に対して前記上部横仕切板を上方に持ち上げても、両縦仕切板から上部横仕切板が外れ難く、組み立て状態を維持することができる。
【００１２】
また、本発明の仕切体は、横仕切板が上部横仕切板と下部仕切板とによって構成され、高さ寸法が比較的高い仕切を形成する場合に好適な構成とされている。即ち、本発明によれば、縦仕切板よりも高さ寸法の小とされた上部横仕切板及び下部仕切板を各縦仕切板に組み付ければよく、従来の構成では縦仕切板と同じ高さ寸法の横仕切板を縦仕切板に組み付ける場合に比して、仕切体の組み立て作業を容易に行なうことができる。しかも、横仕切板は高さが小のものを２枚構成とされていることによって、縦仕切板と同一の高さ寸法で形成した場合に比べて材料を削減することができ、しかも仕切体を軽量に形成することができる。
【００１３】
前記第１の態様において前記上部横仕切板と前記下部横仕切板とを夫々の水平方向に所定間隔を存して平行に複数配列する場合には、前記第１縦仕切板に、各上部横仕切板の上部切込を係止する複数の上部切込穴と各下部横仕切板の下部切込を係止する複数の下部切込穴とを配設し、前記第２縦仕切板に、各上部横仕切板の下部切込を係止する複数の上部切込と各下部横仕切板の上部切込を係止する複数の下部切込とを配設する。こうすることにより、前記第１の態様を採用して横方向に複数仕切ることができる仕切体を容易に形成することができる。
【００１４】
本発明の第１の態様においては、第１縦仕切板が上部切込穴と下部切込穴とを備え、第２縦仕切板が上部切込と下部切込とを備えて構成されるものであるが、該第１の態様と同様の効果が得られる構成として、第１縦仕切板が上部切込穴と下部切込とを備え、第２縦仕切板が上部切込と下部切込穴とを備えた構成を第２の態様として挙げることができる。
【００１５】
即ち、本発明における第２の態様の仕切体は、前記上部横仕切板が、第１縦仕切板に対応する位置の上縁から下方に延びる上部切込と、第２縦仕切板に対応する位置の下縁から上方に延びる下部切込とを備え、前記下部横仕切板が、第１縦仕切板に対応する位置の上縁から下方に延びる上部切込と、第２縦仕切板に対応する位置の下縁から上方に延びる下部切込とを備える。一方、前記第１縦仕切板は、起立状態の前記上部横仕切板が挿通自在であって上端において該上部横仕切板の上部切込を係止する直線状の上部切込穴と、該上部切込穴に所定間隔を存して下方位置に形成され、下縁から上方に延びて前記下部横仕切板の上部切込を係止する下部切込とを備え、前記第２縦仕切板は、上縁から下方に延びて前記上部横仕切板の下部切込を係止する上部切込と、該上部切込に所定間隔を存して下方位置に形成され、起立状態の前記下部横仕切板が挿通自在であって下端において該下部横仕切板の下部切込を係止する直線状の下部切込穴とを備える。
【００１６】
前記第１縦仕切板と前記上部横仕切板とは、該上部横仕切板の上部切込が第１縦仕切板の上部切込穴に係止され、前記第２縦仕切板と前記上部横仕切板とは、該上部横仕切板の下部切込が第２縦仕切板の上部切込に係止される。同時に、前記第１縦仕切板と前記下部横仕切板とは、該下部横仕切板の上部切込が第１縦仕切板の下部切込に係止され、前記第２縦仕切板と前記下部横仕切板とは、該下部横仕切板の下部切込が第２縦仕切板の下部切込穴に係止される。このような係止状態によって、例えば、両縦仕切板に対して前記上部横仕切板を上方に持ち上げても、両縦仕切板から上部横仕切板が外れ難く、組み立て状態を維持することができる。
【００１７】
更に、第２の態様においては、第２縦仕切板を第１縦仕切板と同一形状に形成して上下反転させるだけでよく、第１縦仕切板及び第２縦仕切板の製造を極めて容易とすることができるので、第１縦仕切板及び第２縦仕切板を成形する装置構成を簡単とすることができる。そして、第２の態様においても前記第１の態様と同様に、各縦仕切板の高さ寸法を大としても両横仕切板の高さ寸法を小として仕切体を軽量に構成することができると共に、材料費の増加を軽減することができる。
【００１８】
更に、前記第２の態様において前記上部横仕切板と前記下部横仕切板とを夫々の水平方向に所定間隔を存して平行に複数配列する場合には、前記第１縦仕切板に、各上部横仕切板の上部切込を係止する複数の上部切込穴と各下部横仕切板の上部切込を係止する複数の下部切込とを配設し、前記第２縦仕切板に、各上部横仕切板の下部切込を係止する複数の上部切込と各下部横仕切板の下部切込を係止する複数の下部切込穴とを配設する。これにより、前記第２の態様を採用して横方向に複数仕切ることができる仕切体を容易に形成することができる。
【００１９】
また、本発明における第３の態様の仕切体は、起立する第１縦仕切板と、該第１縦仕切板に平行に起立する第２縦仕切板と、各縦仕切板に直交する方向に各縦仕切板に起立姿勢で組み付けられて水平方向に配列された複数の上部横仕切板と、各上部横仕切板に所定間隔を存した下方位置において各縦仕切板に直交する方向に各縦仕切板に起立姿勢で組み付けられて水平方向に配列された複数の下部横仕切板とを備えている。そして、前記上部横仕切板は、第１縦仕切板に対応する位置の上縁から下方に延びる上部切込と、第２縦仕切板に対応する位置の下縁から上方に延びる下部切込とを備える第１上部横仕切板と、第１縦仕切板に対応する位置の下縁から上方に延びる下部切込と、第２縦仕切板に対応する位置の上縁から下方に延びる上部切込とを備える第２上部横仕切板とからなる。また、前記下部横仕切板は、第１縦仕切板に対応する位置の下縁から上方に延びる下部切込と、第２縦仕切板に対応する位置の上縁から下方に延びる上部切込とを備える第１下部横仕切板と、第１縦仕切板に対応する位置の上縁から下方に延びる上部切込と、第２縦仕切板に対応する位置の下縁から上方に延びる下部切込とを備える第２下部横仕切板とからなる。そして、前記第１縦仕切板には、起立状態の前記第１上部横仕切板が挿通自在であって上端において該第１上部横仕切板の上部切込を係止する直線状の上部切込穴と、上縁から下方に延びて前記第２上部横仕切板の下部切込を係止する上部切込と、起立状態の前記第１下部横仕切板が挿通自在であって下端において該第１下部横仕切板の下部切込を係止する直線状の下部切込穴と、下縁から上方に延びて前記第２下部横仕切板の上部切込を係止する下部切込とが各横仕切板の配列に応じて配設され、前記第２縦仕切板には、上縁から下方に延びて前記第１上部横仕切板の下部切込を係止する上部切込と、起立状態の前記第２上部横仕切板が挿通自在であって上端において該第２上部横仕切板の上部切込を係止する直線状の上部切込穴と、下縁から上方に延びて前記第１下部横仕切板の上部切込を係止する下部切込と、起立状態の前記第２下部横仕切板が挿通自在であって下端において該第２下部横仕切板の下部切込を係止する直線状の下部切込穴とが各横仕切板の配列に応じて配設されている。
【００２０】
本発明の第３の態様においては、前記第１縦仕切板の上部切込穴と前記第２縦仕切板の上部切込とが略対向位置に形成されており、該上部切込穴と該上部切込とを介して前記第１上部横仕切板の上部切込と下部切込とが係止される。また、前記第１縦仕切板の上部切込と前記第２縦仕切板の上部切込穴とが略対向位置に形成されており、該上部切込と該上部切込穴とを介して前記第２上部横仕切板の下部切込と上部切込とが係止される。
【００２１】
同じように、前記第１縦仕切板の下部切込穴と前記第２縦仕切板の下部切込とが略対向位置に形成されており、該下部切込穴と該下部切込とを介して前記第１下部横仕切板の下部切込と上部切込とが係止される。また、前記第１縦仕切板の下部切込と前記第２縦仕切板の下部切込穴とが略対向位置に形成されており、該下部切込と該下部切込穴とを介して前記第２下部横仕切板の上部切込と下部切込とが係止される。
【００２２】
このような係止状態によって組み立てられた仕切体は、例えば、両縦仕切板に対して前記上部横仕切板を上方に持ち上げても、両縦仕切板から上部横仕切板が外れ難く、組み立て状態を維持することができる。また、第３の態様においても、前述した第１の態様や第２の態様と同様に、各縦仕切板の高さ寸法を大としても上下一対の横仕切板によって各横仕切板の高さ寸法を小とすることで仕切体を軽量に構成することができると共に、材料費の増加を軽減することができる。
【００２３】
また、本発明においては、複数の前記第１縦仕切板と複数の前記第２縦仕切板とが所定間隔を存して平行に配列し、前記各横仕切板には、各縦仕切板の各切込及び各切込穴の位置に対応して上部切込と下部切込とを配設することができる。即ち、前述した第１乃至第３の態様において、縦方向に複数仕切る場合には、各横仕切板の長さ寸法を各縦仕切板の間隔に応じて延長させ、各縦仕切板の各切込及び各切込穴の位置に対応して上部切込と下部切込とを形成する。これによって、極めて簡単に縦方向の仕切数を増加させることができる。
【００２４】
また、前記上部切込穴の下端側には、該上部切込穴に連続して交差方向に延びる切込が形成されており、前記下部切込穴の上端側には、該下部切込穴に連続して交差方向に延びる切込が形成されていることが好ましい。これによって、複数の縦仕切板同士を互いに当接する方向（各縦仕切板の幅方向）に積層状態に束ねた後に、各縦仕切板と各横仕切板との係合を確実に維持して面方向（各縦仕切板の高さ方向）に扁平に展開することができる。
【００２５】
即ち、先ず、前記縦仕切板と前記横仕切板とが起立状態のとき、複数の縦仕切板同士を互いに当接する方向に畳み込む。このとき、各縦仕切板と各横仕切板との交差位置を軸として各仕切板が揺動する。これにより、各縦仕切板と共に各横仕切板とが積層状態となる。続いて、各縦仕切板を面方向（各縦仕切板の高さ方向）に広げる。これにより、縦仕切板の上部切込穴及び下部切込穴に横仕切板の下部切込及び上部切込が係止された状態で横仕切板が縦仕切板の高さ方向に回転する。このとき、横仕切板の一部が、上部切込穴の下端側の切込及び下部切込穴の上端側の切込に夫々介入し、面方向への展開を円滑に行なわれる。これにより、各縦仕切板と各横仕切板との係合状態を維持して容易に偏平とすることができる。
【００２６】
【発明の実施の形態】
本発明の実施形態を図面に基づいて説明する。図１は第１の実施形態の仕切体を示す説明的斜視図、図２は図１に示した仕切体を分解して示す説明図、図３は図１の一部を拡大して示す説明的斜視図、図４（ａ）及び（ｂ）は仕切体の偏平状態を示す説明図、図５は第１の実施形態における他の仕切体を示す説明的斜視図、図６は図５に示した仕切体を分解して示す説明図、図７は第２の実施形態の仕切体を示す説明的斜視図、図８は図７に示した仕切体を分解して示す説明図、図９は図７の一部を拡大して示す説明的斜視図、図１０は第３の実施形態の仕切体を示す説明的斜視図、図１１は図１０に示した仕切体を分解して示す説明図、図１２は第４の実施形態の仕切体を示す説明的斜視図、図１３は図１２に示した仕切体を分解して示す説明図、図１４は第５の実施形態の仕切体を示す説明的斜視図、図１５は図１４に示した仕切体を分解して示す説明図である。
【００２７】
本発明の第１の実施形態の仕切体１は、図１に示すように、合成樹脂製の矩形状板材からなる複数の縦仕切板２ａ，２ｂと、合成樹脂製の帯状板材からなる複数の横仕切板３ａ，３ｂとが起立した状態で互いに交差して組み立てられている。縦仕切板は第１縦仕切板２ａと第２縦仕切板２ｂとからなる。横仕切板は上部横仕切板３ａと下部横仕切板３ｂとからなる。
【００２８】
図２に示すように、第１縦仕切板２ａと第２縦仕切板２ｂとは交互に配列されている。第１縦仕切板２ａには、その上端縁から間隔を存して下方に延びる上部切込穴４と、下端縁から間隔を存して上方に延びる下部切込穴５とが形成されている。更に、上部切込穴４の下端には、該上部切込穴４に連続して交差する方向に延びる湾曲切込６が形成されており、下部切込穴５の下端には、該下部切込穴５に連続して交差する方向に延びる湾曲切込７が形成されている。また、第２縦仕切板２ｂには、その上端縁から下方に延びる上部切込８と、下端縁から上方に延びる下部切込９とが形成されている。
【００２９】
第１縦仕切板２ａに形成されている上部切込穴４と下部切込穴５とは共に横仕切板３ａ，３ｂの高さ寸法と等しく、上部切込穴４には上部横仕切板３ａが挿通自在とされ、下部切込穴５には下部横仕切板３ｂが挿通自在とされている。更に、第１縦仕切板２ａの上端縁から上部切込穴４の上端までの間隔と、第１縦仕切板２ａの下端縁から下部切込穴５の下端までの間隔とは共に横仕切板３ａ，３ｂの高さ寸法の１／２にの距離とされている。前記湾曲切込６，７はその両端を結ぶ直線の距離が横仕切板３ａ，３ｂの高さ寸法以上に設定されており、上部切込穴４は湾曲切込６の中央に交差し、下部切込穴５は湾曲切込７の中央に交差している。また、第２縦仕切板２ｂに形成されている上部切込８と下部切込９とは共に横仕切板３ａ，３ｂの高さ寸法の１／２の長さを有している。
【００３０】
図２に示すように、上部横仕切板３ａには、その上端縁から下方に延びる上部切込１０と、下端縁から上方に延びる下部切込１１とが形成されている。上部切込１０と下部切込１１とは共に上部横仕切板３ａの高さ寸法の１／２の長さに形成されている。下部横仕切板３ｂには、その下端縁から上方に延びる下部切込１２と、上端縁から下方に延びる上部切込１３とが形成されている。下部切込１２と上部切込１３とは共に下部横仕切板３ｂの高さ寸法の１／２の長さに形成されている。なお、下部横仕切板３ｂは上部横仕切板３ａを上下反転させたものと同一である。
【００３１】
そして、図３に一部を拡大して示すように、第１縦仕切板２ａの上部切込穴４と上部横仕切板３ａの上部切込１０とが互いに係止され、第２縦仕切板２ｂの上部切込８と上部横仕切板３ａの下部切込１１とが互いに係止される。一方、第１縦仕切板２ａの下部切込穴５と下部横仕切板３ｂの下部切込１２とが互いに係止され、第２縦仕切板２ｂの下部切込９と下部横仕切板３ｂの上部切込１３とが互いに係止される。このように、複数の縦仕切板２ａ，２ｂと、複数の横仕切板３ａ，３ｂとが起立した状態で夫々対応する位置において互いに交差して図１に示すように仕切体１が組み立てられる。
【００３２】
そして、仕切体１は、容易に偏平状態とすることができる。即ち、先ず、図４（ａ）に示すように、仕切体１をその対角線方向に畳み込んで各縦仕切板２ａ，２ｂと各横仕切板３ａ，３ｂとを積層状態に収束させる。次いで、積層状態の仕切体１を、各縦仕切板２ａ，２ｂ及び各横仕切板３ａ，３ｂの夫々の面が上下方向となるように倒して、各縦仕切板２ａ，２ｂ及び各横仕切板３ａ，３ｂを夫々の面に対して水平に広げる。こうすると、図３（ｂ）に示すように、各縦仕切板２ａ，２ｂと各横仕切板３ａ，３ｂとは、各々の係合部分を支点として回転し、各横仕切板３ａ，３ｂが各湾曲切込６，７に介入して偏平となる。
【００３３】
また、第１の実施形態においては、図１及び図２に示す仕切体１以外に、図５及び図６に示す仕切体１４を形成することができる。該仕切体１４は、図５及び図６に示すように、一対の第１縦仕切板２ａの間に複数の第２縦仕切板２ｂが配列されている。この場合には、図６に示すように、上部横仕切板３ａには、各第２縦仕切板２ｂの上部切込８に係止する下部切込１１を一対の上部切込１０の間に形成し、下部横仕切板３ｂには、各第２縦仕切板２ｂの下部切込９に係止する下部切込１１を一対の下部切込１２の間に形成する。該仕切体１４においては、図５に示すように、前述した図１の仕切体１と外観が同じものを形成するが、一対の第１縦仕切板２ａの間に複数の第２縦仕切板２ｂを配列したことによって、各第２縦仕切板２ｂの上部切込８に上部横仕切板３ａの下部切込１１を係止させる作業及び各第２縦仕切板２ｂの下部切込９に下部横仕切板３ｂの上部切込１３を係止させる作業が極めて容易に行なえ、仕切体１４の組み立て作業を効率良く行なうことができる。
【００３４】
本発明の第２の実施形態の仕切体１５は、図７に示すように、第１縦仕切板１６ａと第２縦仕切板１６ｂとが起立状態で交互に配列され、上部横仕切板１７ａと下部横仕切板１７ｂとが起立した状態で各縦仕切板１６ａ，１６ｂに交差して組み立てられている。
【００３５】
図８に示すように、第１縦仕切板１６ａには、その上端縁から間隔を存して下方に延びる上部切込穴１８と、下端縁から上方に延びる下部切込１９とが形成されている。更に、上部切込穴１８の下端には、該上部切込穴１８に連続して交差する方向に延びる湾曲切込２０が形成されている。また、第２縦仕切板１６ｂには、その上端縁から下方に延びる上部切込２１と、下端縁から間隔を存して上方に延びる下部切込穴２２とが形成されている。下部切込穴２２の上端には、該下部切込穴２２に連続して交差する方向に延びる湾曲切込２３が形成されている。
【００３６】
第１縦仕切板１６ａに形成されている上部切込穴１８は上部横仕切板１７ａの高さ寸法と等しく、上部切込穴１８には上部横仕切板１７ａが挿通自在とされている。更に、第１縦仕切板１６ａの上端縁から上部切込穴１８の上端までの間隔は上部横仕切板１７ａの高さ寸法の１／２にの距離とされている。上部切込穴１８に連続する湾曲切込２０はその両端を結ぶ直線の距離が上部横仕切板１７ａの高さ寸法以上に設定されており、上部切込穴１８は湾曲切込２０の中央に交差している。また、該第１縦仕切板１６ａに形成されている下部切込１９は下部横仕切板１７ｂの高さ寸法の１／２の長さを有している。第２縦仕切板１６ｂは第１縦仕切板１６ａを上下反転させたものと同一である。
【００３７】
図８に示すように、上部横仕切板１７ａには、その上端縁から下方に延びる上部切込２４と、下端縁から上方に延びる下部切込２５とが形成されている。上部切込２４と下部切込２５とは共に上部横仕切板１７ａの高さ寸法の１／２の長さに形成されている。下部横仕切板１７ｂには、その上端縁から下方に延びる上部切込２６と、下端縁から上方に延びる下部切込２７とが形成されている。上部切込２６と下部切込２７とは共に下部横仕切板１７ｂの高さ寸法の１／２の長さに形成されている。なお、下部横仕切板１７ｂは上部横仕切板１７ａと全く同じものである。
【００３８】
そして、図９に一部を拡大して示すように、第１縦仕切板１６ａの上部切込穴１８と上部横仕切板１７ａの上部切込２４とが互いに係止され、第２縦仕切板１６ｂの上部切込２１と上部横仕切板１７ａの下部切込２５とが互いに係止される。一方、第１縦仕切板１７ａの下部切込１９と下部横仕切板１７ｂの上部切込２６とが互いに係止され、第２縦仕切板１６ｂの下部切込穴２２と下部横仕切板１７ｂの下部切込２７とが互いに係止される。このように、複数の縦仕切板１６ａ，１６ｂと、複数の横仕切板１７ａ，１７ｂとが起立した状態で夫々対応する位置において互いに交差して図７に示すように仕切体１５が組み立てられる。更に、仕切体１５は、詳しくは図示しないが、図４（ａ）及び図４（ｂ）示の前述した第１の態様と同様にして容易に偏平状態とすることができる。
【００３９】
本発明の第３の実施形態の仕切体２８は、図１０に示すように、複数の縦仕切板２９ａ，２９ｂと、複数の横仕切板３０，３１，３２，３３とが起立した状態で互いに交差して組み立てられている。縦仕切板は第１縦仕切板２９ａと第２縦仕切板２９ｂとからなる。横仕切板は第１上部横仕切板３０、第２上部横仕切板３１、第１下部横仕切板３２、及び第２下部横仕切板３３からなる。
【００４０】
図１１に示すように、第１縦仕切板２９ａと第２縦仕切板２９ｂとは交互に配列されている。第１縦仕切板２９ａには、その上端縁から間隔を存して下方に延びる上部切込穴３４と、上端縁から下方に延びる上部切込３５と、下端縁から上方に延びる下部切込３６と、下端縁から間隔を存して上方に延びる下部切込穴３７とが形成されている。更に、上部切込穴３４の下端には、該上部切込穴３４に連続して交差する方向に延びる湾曲切込３８が形成されており、下部切込穴３７の下端には、該下部切込穴３７に連続して交差する方向に延びる湾曲切込３９が形成されている。第２縦仕切板２９ｂには、その上端縁から下方に延びる上部切込４０と、上端縁から間隔を存して下方に延びる上部切込穴４１と、下端縁から間隔を存して上方に延びる下部切込穴４２と、下端縁から上方に延びる下部切込４３とが形成されている。更に、上部切込穴４１の下端には、該上部切込穴４１に連続して交差する方向に延びる湾曲切込４４が形成されており、下部切込穴４２の下端には、該下部切込穴４２に連続して交差する方向に延びる湾曲切込４５が形成されている。
【００４１】
第１縦仕切板２９ａに形成されている上部切込穴３４は第１上部横仕切板３０の高さ寸法と等しく、上部切込穴３４には第１上部横仕切板３０が挿通自在とされている。更に、第１縦仕切板２９ａの上端縁から上部切込穴３４の上端までの間隔は第１上部横仕切板３０の高さ寸法の１／２にの距離とされている。上部切込穴３４に連続する湾曲切込３８はその両端を結ぶ直線の距離が第１上部横仕切板３０の高さ寸法以上に設定されており、上部切込穴３４は湾曲切込３８の中央に交差している。同じように、第１縦仕切板２９ａに形成されている下部切込穴３７は第２下部横仕切板３３の高さ寸法と等しく、下部切込穴３７には第２下部横仕切板３３が挿通自在とされている。更に、第１縦仕切板２９ａの下端縁から下部切込穴３７の下端までの間隔は第２下部横仕切板３３の高さ寸法の１／２の距離とされている。下部切込穴３７に連続する湾曲切込３９はその両端を結ぶ直線の距離が第２下部横仕切板３３の高さ寸法以上に設定されており、下部切込穴３７は湾曲切込３９の中央に交差している。また、該第１縦仕切板２９ａに形成されている上部切込３５は第２上部横仕切板３１の高さ寸法の１／２の長さを有しており、該第１縦仕切板２９ａに形成されている下部切込３６は第１下部横仕切板３２の高さ寸法の１／２の長さを有している。そして、第２縦仕切板２９ｂは、第１縦仕切板２９ａを上下反転させたものと同一である。
【００４２】
図１１に示すように、第１上部横仕切板３０には、その上端縁から下方に延びる上部切込４６と、下端縁から上方に延びる下部切込４７とが形成されている。第１上部横仕切板３０の上部切込４６と下部切込４７とは共に第１上部横仕切板３０の高さ寸法の１／２の長さに形成されている。第２上部横仕切板３１には、その下端縁から上方に延びる下部切込４８と、上端縁から下方に延びる上部切込４９とが形成されている。第２上部横仕切板３１の下部切込４８と上部切込４９とは共に第２上部横仕切板３１の高さ寸法の１／２の長さに形成されている。
【００４３】
同じように、第１下部横仕切板３２には、その上端縁から下方に延びる上部切込５０と、下端縁から上方に延びる下部切込５１とが形成されている。第１下部横仕切板３２の上部切込５０と下部切込５１とは共に第１下部横仕切板３２の高さ寸法の１／２の長さに形成されている。第２下部横仕切板３３には、その下端縁から上方に延びる下部切込５２と、上端縁から下方に延びる上部切込５３とが形成されている。第２下部横仕切板３３の下部切込５２と上部切込５３とは共に第２下部横仕切板３３の高さ寸法の１／２の長さに形成されている。
【００４４】
なお、第１下部横仕切板３２は第１上部横仕切板３０と全く同じものであり、更に、第２上部横仕切板３１と第２下部横仕切板３３とは、第１上部横仕切板３０を上下反転させたものと同一である。
【００４５】
そして、仕切体２８の組み立て状態にあっては、第１上部横仕切板３０の上部切込４６及び下部切込４７が第１縦仕切板２９ａの上部切込穴３４及び第２縦仕切板２９ｂの上部切込４０に交互に係止されると共に、第２上部横仕切板３１の下部切込４８及び上部切込４９が第１縦仕切板２９ａの上部切込３５及び第２縦仕切板２９ｂの上部切込穴４１に交互に係止される。同時に、第１下部横仕切板３２の上部切込５０及び下部切込５１が第１縦仕切板２９ａの下部切込３６及び第２縦仕切板２９ｂの下部切込穴４２に交互に係止されると共に、第２下部横仕切板３３の下部切込５２及び上部切込５３が第１縦仕切板２９ａの下部切込穴３７及び第２縦仕切板２９ｂの下部切込４３に交互に係止される。これによって、仕切体２８は確実に組み立て状態が維持され、更に、詳しくは図示しないが、図４（ａ）及び図４（ｂ）示の前述した第１の態様と同様にして容易に偏平状態とすることができる。
【００４６】
本発明の第４の実施形態の仕切体５４は、図１２に示すように、複数の縦仕切板５５ａ，５５ｂと、複数の横仕切板５６，５７，５８，５９とが起立した状態で互いに交差して組み立てられている。縦仕切板は第１縦仕切板５５ａと第２縦仕切板５５ｂとからなる。横仕切板は第１上部横仕切板５６、第２上部横仕切板５７、第１下部横仕切板５８、及び第２下部横仕切板５９からなる。
【００４７】
図１３に示すように、第１縦仕切板５５ａと第２縦仕切板５５ｂとは交互に配列されている。第１縦仕切板５５ａには、その上端縁から間隔を存して下方に延びる上部切込穴６０と、上端縁から下方に延びる上部切込６１と、下端縁から間隔を存して上方に延びる下部切込穴６２と、下端縁から上方に延びる下部切込６３とが形成されている。更に、上部切込穴６０の下端には、該上部切込穴６０に連続して交差する方向に延びる湾曲切込６４が形成されており、下部切込穴６２の下端には、該下部切込穴６２に連続して交差する方向に延びる湾曲切込６５が形成されている。第２縦仕切板５５ｂには、その上端縁から下方に延びる上部切込６６と、上端縁から間隔を存して下方に延びる上部切込穴６７と、下端縁から上方に延びる下部切込６８と、下端縁から間隔を存して上方に延びる下部切込穴６９とが形成されている。更に、第２縦仕切板５５ｂの上部切込穴６７の下端には、該上部切込穴６７に連続して交差する方向に延びる湾曲切込７０が形成されており、下部切込穴６９の下端には、該下部切込穴６９に連続して交差する方向に延びる湾曲切込７１が形成されている。
【００４８】
第１縦仕切板５５ａに形成されている上部切込穴６０は第１上部横仕切板５６の高さ寸法と等しく、上部切込穴６０には第１上部横仕切板５６が挿通自在とされている。更に、第１縦仕切板５５ａの上端縁から上部切込穴６０の上端までの間隔は第１上部横仕切板５６の高さ寸法の１／２にの距離とされている。上部切込穴６０に連続する湾曲切込６４はその両端を結ぶ直線の距離が第１上部横仕切板５６の高さ寸法以上に設定されており、上部切込穴６０は湾曲切込６４の中央に交差している。同じように、第１縦仕切板５５ａに形成されている下部切込穴６２は第１下部横仕切板５８の高さ寸法と等しく、下部切込穴６２には第１下部横仕切板５８が挿通自在とされている。更に、第１縦仕切板５５ａの下端縁から下部切込穴６２の下端までの間隔は第１下部横仕切板５８の高さ寸法の１／２の距離とされている。下部切込穴６２に連続する湾曲切込６５はその両端を結ぶ直線の距離が第１下部横仕切板５８の高さ寸法以上に設定されており、下部切込穴６２は湾曲切込６５の中央に交差している。また、該第１縦仕切板５５ａに形成されている上部切込６１は第２上部横仕切板５７の高さ寸法の１／２の長さを有しており、該第１縦仕切板５５ａに形成されている下部切込６３は第２下部横仕切板５９の高さ寸法の１／２の長さを有している。そして、第２縦仕切板５５ｂは、第１縦仕切板５５ａを左右反転させたものと同一である。
【００４９】
図１３に示すように、第１上部横仕切板５６には、その上端縁から下方に延びる上部切込７２と、下端縁から上方に延びる下部切込７３とが形成されている。第１上部横仕切板５６の上部切込７２と下部切込７３とは共に第１上部横仕切板５６の高さ寸法の１／２の長さに形成されている。第２上部横仕切板５７には、その下端縁から上方に延びる下部切込７４と、上端縁から下方に延びる上部切込７５とが形成されている。第２上部横仕切板５７の下部切込７４と上部切込７５とは共に第２上部横仕切板５７の高さ寸法の１／２の長さに形成されている。
【００５０】
同じように、第１下部横仕切板５８には、その下端縁から上方に延びる下部切込７６と、上端縁から下方に延びる上部切込７７とが形成されている。第１下部横仕切板５８の下部切込７６と上部切込７７とは共に第１下部横仕切板５８の高さ寸法の１／２の長さに形成されている。第２下部横仕切板５９には、その上端縁から下方に延びる上部切込７８と、下端縁から上方に延びる下部切込７９とが形成されている。第２下部横仕切板５９の上部切込７８と下部切込７９とは共に第２下部横仕切板５９の高さ寸法の１／２の長さに形成されている。
【００５１】
なお、第２上部横仕切板５７と第１下部横仕切板５８とは、第１上部横仕切板５６を上下反転させたものと同一であり、第２下部横仕切板５９は第１上部横仕切板５６と全く同じものである。
【００５２】
該仕切体５４の組み立て状態にあっては、第１上部横仕切板５６の上部切込７２及び下部切込７３が第１縦仕切板５５ａの上部切込穴６０及び第２縦仕切板５５ｂの上部切込６６に交互に係止されると共に、第２上部横仕切板５７の下部切込７４及び上部切込７５が第１縦仕切板５５ａの上部切込６１及び第２縦仕切板５５ｂの上部切込穴６７に交互に係止される。同時に、第１下部横仕切板５８の下部切込７６及び上部切込７７が第１縦仕切板５５ａの下部切込穴６２及び第２縦仕切板５５ｂの下部切込６８に交互に係止されると共に、第２下部横仕切板５９の上部切込７８及び下部切込７９が第１縦仕切板５５ａの下部切込６３及び第２縦仕切板５５ｂの下部切込穴６９に交互に係止される。これによって、仕切体５４は確実に組み立て状態が維持され、更に、図４（ａ）及び図４（ｂ）示の前述した第１の態様と同様にして容易に偏平状態とすることができる。
【００５３】
また、図１４に示すように、本発明による構成を応用して更に強度の高い仕切体８０を形成することができる。即ち、第５の実施形態として示す仕切体８０は、図１４に示すように、交互に配列された第１縦仕切板８１ａ及び第２縦仕切板８１ｂと、各縦仕切板８１ａ，８１ｂに交差する上部横仕切板８２ａ及び下部横仕切板８２ｂとを備えている。更に、該仕切体８０には、第１縦仕切板８１ａ及び第２縦仕切板８１ｂの両側に、各縦仕切板８１ａ，８１ｂと同じ高さ寸法に形成された一対の側壁板８３ａ，８３ｂが組み付けられている。
【００５４】
仕切体８０は、図１５に分解して示すように、第１縦仕切板８１ａには、その上端縁から間隔を存して下方に延びる上部切込穴８４と、該上部切込穴８４の下方において下端縁から上方に延びる下部切込８５とが形成されている。更に、第１縦仕切板８１ａの両側端部には側壁板８３ａ，８３ｂを係止する一対の側壁板係止用切込８６，８７が形成されている。第１縦仕切板８１ａの上部切込穴８４の下端には、該上部切込穴８４に連続して交差する方向に延びる湾曲切込８８が形成されている。
【００５５】
第２縦仕切板８１ｂには、その上端縁から下方に延びる上部切込８９と、該上部切込８９の下方において下端縁から間隔を存して上方に延びる下部切込穴９０とが形成されている。更に、第２縦仕切板８１ｂの両側端部には側壁板８３ａ，８３ｂを係止する一対の側壁板係止用切込９１，９２が形成されている。また、第２縦仕切板８１ｂの下部切込穴９０の上端には、該下部切込穴９０に連続して交差する方向に延びる湾曲切込９３が形成されている。そして、第２縦仕切板８１ｂは第１縦仕切板８１ａを上下反転させたものと同一である。
【００５６】
前記上部横仕切板８２ａには、その上端縁から下方に延びる上部切込９４と、下端縁から上方に延びる下部切込９５とが形成されている。下部横仕切板８２ｂには、その上端縁から下方に延びる上部切込９６と、下端縁から上方に延びる下部切込９７とが形成されている。なお、下部横仕切板８２ｂは上部横仕切板８２ａと全く同じものである。
【００５７】
そして更に、一方の側壁板８３ａには、各第１縦仕切板８１ａの側壁板係止用切込８６に係止する一対の切込９８と、第２縦仕切板８１ｂの側壁板係止用切込９１に係止する切込９９とが形成されている。他方の側壁板８３ｂには、同じように、各第１縦仕切板８１ａの側壁板係止用切込８７に係止する一対の切込１００と、第２縦仕切板８１ｂの側壁板係止用切込９２に係止する切込１０１とが形成されている。
【００５８】
該仕切体８０の組み立て状態にあっては、上部横仕切板８２ａの上部切込９４及び下部切込９５が第１縦仕切板８１ａの上部切込穴８４及び第２縦仕切板８１ｂの上部切込８９に交互に係止され、下部横仕切板８２ｂの上部切込９６及び下部切込９７が第１縦仕切板８１ａの下部切込８５及び第２縦仕切板８１ｂの下部切込穴９０に交互に係止される。
【００５９】
各縦仕切板８１ａ，８１ｂの両側においては、両側壁板８３ａ，８３ｂの各切込９８，９９，１００，１０１がその対応位置において各側壁板係止用切込８６，８７，９１，９２に係止されて仕切体８０を強固な組み立て状態とする。そして、仕切体８０の内側位置に上部横仕切板８２ａと下部横仕切板８２ｂとを組み付けるように構成したので、仕切体８０の組み立て作業を容易に行なうことができ、また、上部横仕切板８２ａと下部横仕切板８２ｂとが縦仕切板８１ａ，８１ｂの高さ寸法より小とされていることによって、仕切体８０の材料費の削減及び軽量化を実現することができる。
【図面の簡単な説明】
【図１】本発明の第１の実施形態の仕切体を示す説明的斜視図。
【図２】図１に示した仕切体を分解して示す説明図。
【図３】図１の一部を拡大して示す説明的斜視図。
【図４】仕切体の偏平状態を示す説明図。
【図５】第１の実施形態における他の仕切体を示す説明的斜視図。
【図６】図５に示した仕切体を分解して示す説明図。
【図７】本発明の第２の実施形態の仕切体を示す説明的斜視図。
【図８】図７に示した仕切体を分解して示す説明図。
【図９】図７の一部を拡大して示す説明的斜視図。
【図１０】本発明の第３の実施形態の仕切体を示す説明的斜視図。
【図１１】図１０に示した仕切体を分解して示す説明図。
【図１２】本発明の第４の実施形態の仕切体を示す説明的斜視図。
【図１３】図１２に示した仕切体を分解して示す説明図。
【図１４】本発明の第５の実施形態の仕切体を示す説明的斜視図。
【図１５】図１４に示した仕切体を分解して示す説明図。
【符号の説明】
１，１４，１５，２８，５４，８０…仕切体、２ａ，１６ａ，２９ａ，５５ａ，８１ａ…第１縦仕切板、２ｂ，１６ｂ，２９ｂ，５５ｂ，８１ｂ…第２縦仕切板、３ａ，１７ａ，８２ａ…上部横仕切板、３ｂ，１７ｂ，８２ｂ…下部横仕切板、８，２１，３５，４０，６１，６６，８９…縦仕切板の上部切込、９，１９，３６，４３，６３，６８，８５…縦仕切板の下部切込、１０，１３，２４，２６，４６，４９，５０，５３，７２，７５，７７，７８，９４，９６…横仕切板の上部切込、１１，１２，２５，２７，４７，４８，５１，５２，７３，７４，７６，７９，９５，９７…横仕切板の下部切込、４，１８，３４，４１，６０，６７，８４…上部切込穴、５，２２，３７，４２，６２，６９，９０…下部切込穴、３０，５６…第１上部横仕切板、３１，５７…第２上部横仕切板、３２，５８…第１下部横仕切板、３３，５９…第２下部横仕切板、６，７，２０，２３，３８，３９，４４，４５，６４，６５，７０，７１，８８，９３…湾曲切込（切込穴に交差する切込）。
【図１】
0003792128.tif 000002
【図２】
0003792128.tif 000003
【図３】
0003792128.tif 000004
【図４】
0003792128.tif 000005
【図５】
0003792128.tif 000006
【図６】
0003792128.tif 000007
【図７】
0003792128.tif 000008
【図８】
0003792128.tif 000009
【図９】
0003792128.tif 000010
【図１０】
0003792128.tif 000011
【図１１】
0003792128.tif 000012
【図１２】
0003792128.tif 000013
【図１３】
0003792128.tif 000014
【図１４】
0003792128.tif 000015
【図１５】
0003792128.tif 000016